【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
（ｄ）をナトリウム塩換算の量で算出したもので５質量％以下含有し、
上記液体洗浄剤組成物のＪＩＳ  Ｋ３３６２：２００８  ８．３記載の２５℃で測定するｐＨが９〜１１である、
液体洗浄剤組成物。
【請求項２】
（ｃ）が、２５℃のｐＫａが８．５〜１０．６の範囲にあるアルカノールアミンである、請求項１記載の液体洗浄剤組成物。
【請求項３】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）２５℃のｐＫａが８．５〜１０．６の範囲にあるアルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
上記液体洗浄剤組成物のＪＩＳ  Ｋ３３６２：２００８  ８．３記載の２５℃で測定するｐＨが９〜１１である、
液体洗浄剤組成物。
【請求項４】
（ｂ）が、炭素数１０〜１８の脂肪酸である、請求項１〜３のいずれか記載の液体洗浄剤組成物。
【請求項５】
（ｂ）が、炭素数１２〜１４の脂肪酸及び／又はその塩と、炭素数１６〜１８の脂肪酸及び／又はその塩とを含む、請求項１〜４のいずれか記載の液体洗浄剤組成物。
【請求項６】
請求項１〜５のいずれか記載の、衣料の洗濯において起泡性とすすぎ性の両方に優れた液体洗浄剤組成物。
【請求項７】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
（ｂ）が、炭素数１２〜１４の脂肪酸及び／又はその塩と、炭素数１６〜１８の脂肪酸及び／又はその塩とを含み、
上記液体洗浄剤組成物のＪＩＳ Ｋ３３６２：２００８ ８．３記載の２５℃で測定するｐＨが９〜１１である、
衣料の洗濯において起泡性とすすぎ性の両方に優れた液体洗浄剤組成物。
【請求項８】
炭素数１２〜１４の脂肪酸及び／又はその塩をＣ12〜14脂肪酸と表記し、炭素数１６〜１８の脂肪酸及び／又はその塩をＣ16〜18脂肪酸と表記して、Ｃ16〜18脂肪酸／Ｃ12〜14脂肪酸の質量比が１／９９〜６０／４０である、請求項７記載の液体洗浄剤組成物。
【請求項９】
炭素数１２の脂肪酸及び／又はその塩をＣ12脂肪酸と表記し、炭素数１４の脂肪酸及び／又はその塩をＣ14脂肪酸と表記して、（ｂ）としてＣ12脂肪酸とＣ14脂肪酸とを含み、Ｃ14脂肪酸の含有量に対するＣ12脂肪酸の含有量の質量比Ｃ12脂肪酸／Ｃ14脂肪酸が３．５／１以上である、請求項７又は８記載の液体洗浄剤組成物。
【請求項１０】
炭素数１２〜１４の脂肪酸及び／又はその塩をＣ12〜14脂肪酸と表記し、炭素数１６〜１８の脂肪酸及び／又はその塩をＣ16〜18脂肪酸と表記して、Ｃ12〜14脂肪酸として炭素数１２の脂肪酸及び／又はその塩を含有し、且つＣ16〜18脂肪酸として炭素数１６の脂肪酸及び／又はその塩を含有し、Ｃ12〜14脂肪酸とＣ16〜18脂肪酸の含有量の合計中、炭素数１２の脂肪酸及び／又はその塩と炭素数１６の脂肪酸及び／又はその塩の含有量の合計の割合が、７０質量％以上である、請求項７〜９のいずれか記載の液体洗浄剤組成物。
【請求項１１】
（ｃ）が、２５℃のｐＫａが８．５〜１０．６の範囲にあるアルカノールアミンである、請求項７〜１０のいずれか記載の液体洗浄剤組成物。
【請求項１２】
（ａ）が、炭素数１０〜２０のアルキル基を有し、アルキレンオキシ基の平均付加モル数が０〜５のポリオキシアルキレンアルキルエーテル硫酸エステル塩である、請求項１〜１１のいずれか記載の液体洗浄剤組成物。
【請求項１３】
（ｂ）の含有量が０．４〜５質量％である、請求項１〜１２のいずれか記載の液体洗浄剤組成物。
【請求項１４】
（ｃ）が、モノアルカノールアミンである、請求項１〜１３のいずれか記載の液体洗浄剤組成物。
【請求項１５】
（ｄ）が、炭酸水素アルカリ金属塩、炭酸アルカリ金属塩及びセスキ炭酸アルカリ金属塩からなる群から選ばれる一種以上の化合物である、請求項１〜１４のいずれか記載の液体洗浄剤組成物。
【請求項１６】
（ｄ）をナトリウム塩換算の量で算出したもので４質量％以下である、請求項１〜１５のいずれか記載の液体洗浄剤組成物。
【請求項１７】
（ｅ）が、炭素数１０〜１８のアルコールにエチレンオキサイドを平均で１〜１２モル付加させたポリオキシアルキレンアルキルエーテルである、請求項１〜１６のいずれか記載の液体洗浄剤組成物。
【請求項１８】
（ｅ）の含有量が３質量％以下である、請求項１〜１７のいずれか記載の液体洗浄剤組成物。
【請求項１９】
アミンオキシド及びベタインから選ばれる一種以上の泡ブースターの含有量が、組成物中、５質量％以下である、請求項１〜１８のいずれか記載の液体洗浄剤組成物。
【請求項２０】
手洗い洗濯用である、請求項１〜１９のいずれか記載の液体洗浄剤組成物。
【請求項２１】
請求項１〜２０のいずれか記載の液体洗浄剤組成物を含む洗浄水を接触させた被洗浄物を手洗いする手洗い洗濯方法であって、被洗浄物の質量に対する洗浄水の質量が２〜１００倍である、手洗い洗濯方法。
【手続補正２】
【補正対象書類名】明細書
【補正対象項目名】００７３
【補正方法】変更
【補正の内容】
【００７３】
第２実施態様では、Ｃ12〜14脂肪酸に対するＣ16〜18脂肪酸の質量比、すなわち、Ｃ16〜18脂肪酸／Ｃ12〜14脂肪酸の質量比は、好ましくは１／９９以上、更に４／９６以上、更に８／９２以上、更に１２／８８以上、更に１８／８２以上であり、また、好ましくは６０／４０以下、更に５０／５０以下、更に４０／６０以下、更に３０／７０以下、更に２５／７５以下である。よって、Ｃ16〜18脂肪酸／Ｃ12〜14脂肪酸の質量比は、低温保存安定性の向上の観点から、具体的には、好ましくは１／９９〜６０／４０、より好ましくは４／９６〜５０／５０、より好ましくは８／９２〜４０／６０、より好ましくは１２／８８〜３０／７０、更に好ましくは１８／８２〜２５／７５である。
【手続補正３】
【補正対象書類名】明細書
【補正対象項目名】００７４
【補正方法】変更
【補正の内容】
【００７４】
また、第２実施態様では、Ｃ12〜14脂肪酸は、炭素数１２の脂肪酸及び／又はその塩が好ましい。ここで、炭素数１２の脂肪酸及び／又はその塩をＣ12脂肪酸と表記する。また、炭素数１４の脂肪酸及び／又はその塩をＣ14脂肪酸と表記する。第２実施態様では、（ｂ）成分としてＣ12脂肪酸を含むことが好ましく、Ｃ12〜14脂肪酸の全量に占めるＣ12脂肪酸の割合は５０質量％以上、更に６０質量％以上が好ましく、また、９５質量％以下、更に９０質量％以下が好ましい。また、（ｂ）成分としてＣ12脂肪酸とＣ14脂肪酸とを含む場合、Ｃ14脂肪酸の含有量に対するＣ12脂肪酸の含有量の質量比、すなわち、Ｃ12脂肪酸／Ｃ14脂肪酸の質量比は、低温保存安定性の向上の観点から、好ましくは３．５／１以上、より好ましくは４／１以上である。